(57)【要約】【課題】痕跡を残すことなくコネクタの脱着を行えないように構成して、コネクタへの不正部品の接続を効果的に防止できる遊技機を提供する。【解決手段】主制御基板ケース１３に着脱自在に装着されるコネクタカバー７３を備え、コネクタカバー７３は、主制御基板ケース１３に装着したときに主制御基板ケース１３側の第２締結部９３と略一致する第１締結部９２と、着脱側コネクタ７１ａの固定側コネクタ６８ａからの離脱を阻止する離脱阻止部８１とを備え、第１締結部９２と第２締結部９３とを抜脱不能な結束バンド９９により結束したものである。【選択図】図８
2010148926.tif 000002
【特許請求の範囲】
【請求項１】
ハーネス側の着脱側コネクタ（７１ａ）（１１７ａ）（１１７ｂ）（１７１）（２１４）を着脱可能な固定側コネクタ（６８ａ）（１１４ａ）（１１４ｂ）（１６８）（２１１）が設けられた基板（１２）（４８）（１６４）（２０２）と、前記固定側コネクタ（６８）（６８ａ）（１１４）（１１４ａ）（１１４ｂ）（１６８）（２１１）を外部に露出させた状態で前記基板（１２）（４８）（１６４）（２０２）を収容するケース体（１３）（４９）（１６１）（２０１）とを有する部品を備えた遊技機において、前記ケース体（１３）（４９）（１６１）（２０１）に着脱自在に装着されるコネクタカバー（７３）（１１８）（１７２）（２１５）を備え、該コネクタカバー（７３）（１１８）（１７２）（２１５）は、前記ケース体（１３）（４９）（１６１）（２０１）に装着したときに前記ケース体（１３）（４９）（１６１）（２０１）側の第２締結部（９３）（１４２）（１８７）（２２９）と略一致する第１締結部（９２）（１４１）（１８６）（２２８）と、前記着脱側コネクタ（７１ａ）（１１７ａ）（１１７ｂ）（１７１）（２１４）の前記固定側コネクタ（６８ａ）（１１４ａ）（１１４ｂ）（１６８）（２１１）からの離脱を阻止する離脱阻止部（８１）（１２１ｂ）（１２２）（１８１）（２２２）とを備え、前記第１締結部（９２）（１４１）（１８６）（２２８）と前記第２締結部（９３）（１４２）（１８７）（２２９）とを抜脱不能な締結手段（９９）により締結したことを特徴とする遊技機。
【請求項２】
前記コネクタカバー（７３）（１１８）（１７２）（２１５）と前記ケース体（１３）（４９）（１６１）（２０１）との間に前記ハーネスのケーブル部分を引出可能なケーブル引出部（７９）（１２６）（１２７）（１８５）（２２５）を備えたことを特徴とする請求項１に記載の遊技機。
【請求項３】
前記コネクタカバー（７３）（１１８）に、前記ケース体（１３）（４９）側に係脱自在に係合する係合部（７７ａ）（１２３）（１２４）を設けたことを特徴とする請求項１又は２に記載の遊技機。
【請求項４】
前記ケース体（２０１）は複数の部材を１又は複数の結合部材（２０８）により分解可能に結合することにより構成され、前記コネクタカバー（２１５）は、前記ケース体（２０１）側に装着したとき、前記結合部材（２０８）の少なくとも１つを覆う結合部材カバー部（２２３）を備えていることを特徴とする請求項１〜３の何れかに記載の遊技機。
【請求項５】
前記ケース体（４９）（１６１）は遊技機本体（１）に対し１又は複数の固定部材（１０２）（１５２）により着脱可能に固定され、前記コネクタカバー（１１８）（１７２）は、前記ケース体（４９）（１６１）側に装着したとき、前記固定部材（１０２）（１５２）の少なくとも１つを覆う固定部材カバー部（１２１ａ）（２３１）を備えていることを特徴とする請求項１〜４の何れかに記載の遊技機。
【請求項６】
前記第１締結部（１４１）は前記第２締結部（１４２）に対して前記コネクタカバー（１１８）の離脱方向に若干ずれた位置に設けられていることを特徴とする請求項１〜５の何れかに記載の遊技機。
【請求項７】
前記着脱側コネクタ（７１ａ）は前記固定側コネクタ（６８ａ）への接続状態を解除可能にロックするロック手段（８４）を備え、前記コネクタカバー（７３）は、前記ロック手段（８４）の解除方向への移動を阻止するロック解除阻止部（８２）を備えたことを特徴とする請求項１〜６の何れかに記載の遊技機。
【請求項８】
前記締結手段（９９）は、凹凸が形成されたバンド部（９９ａ）と、このバンド部（９９ａ）を挿通可能に構成され且つ前記凹凸に噛合するラチェット爪を備えたヘッド部（９９ｂ）とを備えた結束バンドであり、前記ヘッド部（９９ｂ）に、特有の識別標識を付したタグ（９９ｃ）を一体形成したことを特徴とする請求項１〜７の何れかに記載の遊技機。
【発明の詳細な説明】
【技術分野】
【０００１】
本発明は、スロットマシン、パチンコ機等の遊技機に係り、詳しくは、ハーネス側の着脱側コネクタを着脱可能な固定側コネクタが設けられた基板と、固定側コネクタを外部に露出させた状態で基板を収容するケース体とを有する部品を備えた遊技機に関するものである。
【背景技術】
【０００２】
スロットマシン等の遊技機では、各種制御基板等が基板ケースに格納された状態で本体内部に装着されている。一般的な基板ケースは、ケース本体とケース蓋体とを開閉可能に組み合わせることにより略箱形となるように構成されており、また、ケース蓋体には、内部の基板に設けられた固定側コネクタに対応する開口状のコネクタ孔が形成されており、固定側コネクタへはそのコネクタ孔を介してハーネス側の着脱側コネクタが着脱自在に接続されている。
【０００３】
また、上記のような各種制御基板には、ハーネスを介してスタートレバーユニット、ストップボタンユニット等の各種遊技部品が接続され、またそれらの間には中継基板が介挿されている場合もあるが、それらについても、制御基板側と同様の固定側コネクタが設けられ、ハーネスの着脱側コネクタが着脱自在に接続されている。
【０００４】
また、遊技機の基板ケースには、基板に対する不正防止のための封止手段を備えたものがある。この封止手段は、ケース本体とケース蓋体とを閉鎖状態で現状復帰不能に封止するもので、一旦基板を格納したまま封止してしまうと、その一部の損壊部を損壊して開封の痕跡を残さない限り、基板ケースを開いて内部の基板を取り出すことはできないようになっている（例えば特許文献１）。
【０００５】
ところで、この種のスロットマシンに対する不正行為として、ホール側が主制御基板等の固定側コネクタから着脱側コネクタを取り外し、一般に「打ち込み機」と呼ばれている不正部品を接続してボーナスが内部成立するまで自動的に遊技を行わせ、その後に元に戻してボーナスが揃う状態で営業を行い、集客効果を高めるといった行為が問題となっている。
【先行技術文献】
【特許文献】
【０００６】
【特許文献１】特開２００３−３８８０５号公報
【発明の概要】
【発明が解決しようとする課題】
【０００７】
従来の遊技機では、スタートレバーユニット等の遊技部品や中継基板だけでなく、封止手段が設けられた制御基板についても、着脱側コネクタを固定側コネクタから容易に取り外すことができるようになっているため、着脱側コネクタを抜き取った後の固定側コネクタ、或いはその抜き取られた着脱側コネクタ側に「打ち込み機」等の不正部品を容易に接続することができ、しかもその痕跡が残らないように元通りに戻すことも容易であるため、上記のような不正行為の防止及び発見が極めて困難であった。
【０００８】
本発明は、上記事情に鑑みてなされたものであり、その目的とするところは、痕跡を残すことなく固定側コネクタへの着脱側コネクタの脱着を行うことができないように構成して、固定側コネクタ或いは着脱側コネクタへの不正部品の接続を効果的に防止できる遊技機を提供することにある。
【課題を解決するための手段】
【０００９】
本発明は、ハーネス側の着脱側コネクタ７１ａ，１１７ａ，１１７ｂ，１７１，２１４を着脱可能な固定側コネクタ６８ａ，１１４ａ，１１４ｂ，１６８，２１１が設けられた基板１２，４８，１６４，２０２と、前記固定側コネクタ６８，６８ａ，１１４，１１４ａ，１１４ｂ，１６８，２１１を外部に露出させた状態で前記基板１２，４８，１６４，２０２を収容するケース体１３，４９，１６１，２０１とを有する部品を備えた遊技機において、前記ケース体１３，４９，１６１，２０１に着脱自在に装着されるコネクタカバー７３，１１８，１７２，２１５を備え、該コネクタカバー７３，１１８，１７２，２１５は、前記ケース体１３，４９，１６１，２０１に装着したときに前記ケース体１３，４９，１６１，２０１側の第２締結部９３，１４２，１８７，２２９と略一致する第１締結部９２，１４１，１８６，２２８と、前記着脱側コネクタ７１ａ，１１７ａ，１１７ｂ，１７１，２１４の前記固定側コネクタ６８ａ，１１４ａ，１１４ｂ，１６８，２１１からの離脱を阻止する離脱阻止部８１，１２１ｂ，１２２，１８１，２２２とを備え、前記第１締結部９２，１４１，１８６，２２８と前記第２締結部９３，１４２，１８７，２２９とを抜脱不能な締結手段９９により締結したものである。
【発明の効果】
【００１０】
本発明によれば、締結手段９９を切断してコネクタカバー７３，１１８，１７２，２１５を取り外したとしても、全く同じ締結手段９９を用いなければ元通りに戻すことができないため、「打ち込み機」等の不正部品の接続による不正行為を効果的に防止でき、また万一そのような不正行為が行われた場合でも確実に発見することができる。
【図面の簡単な説明】
【００１１】
【図１】本発明の一実施形態を示すパチンコ機の全体斜視図である。
【図２】本体ケース側の正面図である。
【図３】前面パネル側の背面図である。
【図４】主制御基板ケース及びその近傍の平面断面図である。
【図５】主制御基板ケース及び取り付け台の斜視図である。
【図６】主制御基板ケースの要部背面図である。
【図７】主制御基板ケースへのコネクタカバーの装着前後の状態を示す底面断面図である。
【図８】主制御基板ケースへのコネクタカバーの装着前後の状態を示す側面断面図である。
【図９】解除規制リブによる作用説明図である。
【図１０】結束バンドの全体図である。
【図１１】中継基板ケース及びコネクタカバーの分解斜視図である。
【図１２】中継基板ケース及びコネクタカバーの斜視図である。
【図１３】中継基板ケース及びコネクタカバーの結束状態での背面図である。
【図１４】中継基板ケース及びコネクタカバーの結束状態での底面断面図である。
【図１５】中継基板ケース及びコネクタカバーの結束前後の状態を示す側面断面図である。
【図１６】スタートレバーユニット及びコネクタカバーの分解斜視図である。
【図１７】スタートレバーユニット側のコネクタカバーの斜視図である。
【図１８】スタートレバーユニット及びコネクタカバーの斜視図である。
【図１９】スタートレバーユニット及びコネクタカバーの結束状態での背面図である。
【図２０】スタートレバーユニットへのコネクタカバーの装着前後の状態を示す平面図及び要部平面断面図である。
【図２１】ストップボタンユニット及びコネクタカバーの分解斜視図である。
【図２２】ストップボタンユニット及びコネクタカバーの斜視図である。
【図２３】ストップボタンユニット及びコネクタカバーの結束状態での背面図である。
【図２４】ストップボタンユニットへのコネクタカバーの装着前後の状態を示すＡ−Ａ断面図である。
【図２５】ストップボタンユニット及びコネクタカバーの結束状態でのＢ−Ｂ断面図である。
【図２６】スタートレバー側のコネクタカバーの変形例を示す斜視図である。
【発明を実施するための形態】
【００１２】
以下、本発明の実施形態を図面に基づいて詳述する。図１〜図２５は本発明をスロットマシンとして具現化した一実施形態を例示している。図１〜図３において、遊技機本体１は、本体ケース２と、この本体ケース２の前側に配置された前面パネル３とを備えている。本体ケース２は前側が開放する箱形に形成され、その前側を開閉自在に閉鎖するように前面パネル３が装着されている。
【００１３】
本体ケース２内には、図２に示すように、上下方向中間部に中間棚４が設けられ、この中間棚４上に左右方向に複数個（例えば３個）の図柄表示リール５を有する表示リールユニット６が設けられ、中間棚４の下側には例えば底板７上にメダル払い出し手段８、メダル補助ケース９、電源装置１０等が、表示リールユニット６よりも上側の例えば背板１１の前側に、主として遊技に関する制御を行う主制御基板１２が収容された主制御基板ケース１３が設けられている。
【００１４】
メダル払い出し手段８は、図２に示すように払い出し用のメダルを貯留するメダルホッパー１４と、メダルホッパー１４内のメダルを払い出すメダル払い出し部１５と、メダルホッパー１４から溢れたメダルをメダル補助ケース９側に排出する余剰メダル排出口１６等を備えている。
【００１５】
図１及び図３に示すように、前面パネル３は骨格体を構成するパネル体２１を備え、このパネル体２１は左右一端側に設けられた上下一対のヒンジ２２，２２を介して本体ケース２に開閉自在に装着されている。前面パネル３には、その上部側に第２表示窓２３、第１表示窓２４、左右一対の上スピーカ２５等が配置され、上下方向中間部に上操作パネル部２６、前操作パネル部２７、前カバー２８等が配置され、更に下部側にメダル排出口２９、メダル受け皿３０、灰皿３１、左右一対の下スピーカ３２等が配置されている。
【００１６】
第１表示窓２４は、本体ケース２側の図柄表示リール５に対応して矩形状に形成されており、遊技者はこの第１表示窓２４を介して図柄表示リール５を前側から視認可能となっている。第２表示窓２３は、前面パネル３の裏側に装着された液晶表示ユニット３３（図３参照）に対応して第１表示窓２４の上側に形成されており、遊技者はこの第２表示窓２３を介して液晶表示ユニット３３の表示画面を前側から視認可能となっている。
上操作パネル部２６には、その左右方向の一端側に１ベットボタン３４、マックスベットボタン３５、キャンセルボタン３６が設けられ、他端側に遊技媒体としてのメダルを投入可能なメダル投入口３７が設けられている。
【００１７】
前操作パネル部２７には、図柄表示リール５の回転を開始させるためのスタートレバー３８を備えたスタートレバーユニット３９、回転中の図柄表示リール５を夫々個別に停止させるための３つのストップボタン４０を備えたストップボタンユニット４１、メダル投入口３７内に詰まったメダルを返却させるための返却ボタン４２等が設けられている。
【００１８】
パネル体２１は前面パネル３に対応する矩形状であって、その裏側には図３に示すように各スピーカ２５，３２、液晶表示ユニット３３等の他に、メダル投入口３７から投入されたメダルの正偽を選別するメダル選別手段４３、このメダル選別手段４３を通過した真正のメダルをメダルホッパー１４へと案内するメダルシュート４４、メダル選別手段４３で排除された偽メダル及びメダル払い出し手段８で払い出されたメダルをメダル排出口２９からメダル受け皿３０へと案内するメダル案内通路４５等が設けられている。
【００１９】
液晶表示ユニット３３の裏側には、そのドライバ基板が収容されたドライバ基板ケース４６が装着され、このドライバ基板ケース４６の裏側に、演出制御基板が収容された制御基板ケース４７が装着されている。また、例えば前カバー２８の後側には、中継基板４８が収容された中継基板ケース４９が装着されている。
【００２０】
なお、本実施形態のスロットマシンでは、基板側の固定側コネクタに接続したハーネス側の着脱側コネクタを抜き取り不能とするためのコネクタカバーを、主制御基板ケース１３、中継基板ケース４９、スタートレバーユニット３９及びストップボタンユニット４１に夫々設けている。以下、夫々について詳細に説明する。
【００２１】
主制御基板ケース（ケース体）１３は、図４及び図５に示すように、例えば本体ケース２を構成する背板１１の前面側にネジ止め等により固定された取り付け台５１に、左右方向の一端側に配置された係合手段５２と、他端側に配置された第１封止手段５３とを介して着脱自在に固定されている。
【００２２】
主制御基板ケース１３は、主制御基板１２を表裏両側から挟む第１ケース体５４及び第２ケース体５５と、左右方向の他端側で両ケース体５４，５５を係脱、開閉自在に結合するヒンジ手段５６と、左右方向の一端側で両ケース体５４，５５を結合して封止し且つ開封時に開封痕の残る複数個（例えば４個）の第２封止手段５７とを備えている。
【００２３】
第１ケース体５４は略平板状であって、外周側に受け縁５８を残して起立壁５９が周方向の全周に形成されており、その起立壁５９内に、裏面側を第１ケース体５４に向けた状態で主制御基板１２が配置されている。第２ケース体５５は第１ケース体５４側が開放する蓋状で、外周側の周壁６１とその周壁６１に一体の背壁６２とを有し、その背壁６２には主制御基板１２の電子部品６３に対応する中央部分に膨出部６４が、その左右両端側に凹部６５，６６が夫々形成され、第１ケース体５４の起立壁５９の外側に嵌合して、その周壁６１の開口端縁が第１ケース体５４の受け縁５８に当接している。
【００２４】
膨出部６４は多数の放熱孔を有し、主制御基板１２の電子部品６３を覆うようになっている。凹部６５，６６の底部６７は主制御基板１２の表面に当接し、その底部６７には主制御基板１２側の固定側コネクタ６８を露出させるためのコネクタ孔６９が、例えば各固定側コネクタ６８に夫々対応するように複数形成されている。
【００２５】
左側の凹部６５は、膨出部６４の左縁部に沿って上下方向に配置される縦凹部６５ａと、この縦凹部６５ａの下端側から膨出部６４の下縁部に沿って右向きに延設される横凹部６５ｂとで構成されており、夫々１個又は複数個、例えば縦凹部６５ａ側に４個、横凹部６５ｂ側に１個の固定側コネクタ６８が配置されている。また、右側の凹部６６は、膨出部６４の右縁部に沿って上下方向に配置されており、１個又は複数個、例えば４個の固定側コネクタ６８が配置されている。
【００２６】
主制御基板ケース１３に設けられている固定側コネクタ６８は、例えば何れも主制御基板１２の板面に対して垂直に取り付けられており、ハーネスの着脱側コネクタ７１が着脱可能に接続されるようになっている。なお、主制御基板１２は第１ケース体５４と第２ケース体５５とで挟持され、主制御基板ケース１３内に位置決め突起等により固定されている。
【００２７】
また、主制御基板ケース１３には、主制御基板１２に設けられた複数の固定側コネクタ６８のうち、例えば横凹部６５ｂ内に配置された固定側コネクタ６８ａに対応してコネクタカバー７３が着脱自在に装着されている。
【００２８】
コネクタカバー７３は、図５〜図９に示すように、左右方向に長い略矩形状に形成された天板７４と、この天板７４の周囲を取り囲む上下左右の側壁７５ａ〜７５ｄとで底面側が開放した箱形に形成され、固定側コネクタ６８ａとこれに接続された着脱側コネクタ７１ａとに覆い被せることが可能な程度の大きさに形成されており、例えばその高さ、即ち天板７４から開放端側までの寸法は、凹部６５に対する膨出部６４の高さ、即ち凹部６５の底部６７から膨出部６４の背面６４ａまでの寸法と略一致している。
【００２９】
左右の側壁７５ｃ，７５ｄには、例えばその開放端側から天板７４側に向けて上下一対のスリット７６，７６が形成されており、そのスリット７６，７６間が係合片７７となっている。これら左右一対の係合片７７は、コネクタカバー７３を主制御基板ケース１３側に係合させるためのもので、その外面側に係合爪（係合部）７７ａが設けられている。
【００３０】
また、上下の側壁７５ａ，７５ｂには、夫々その開放端側に凹入開口部７８，７９が形成されている。これら凹入開口部７８，７９のうち、下側の側壁７５ｂ側の凹入開口部７９は、固定側コネクタ６８ａに接続される着脱側コネクタ７１ａ側のケーブルを引き出すためのケーブル引出部を構成している。なお、他方の凹入開口部７８は省略してもよい。
【００３１】
また、コネクタカバー７３内には、離脱規制リブ（離脱阻止部）８１と解除規制リブ  （ロック解除阻止部）８２とが設けられている。離脱規制リブ８１は、固定側コネクタ６８ａに接続された着脱側コネクタ７１ａにその離脱方向から略当接することにより着脱側コネクタ７１ａの離脱方向への移動を規制するもので、例えば左右の側壁７５ｃ，７５ｄ間に複数枚、例えば３枚設けられ、その先端側縁部が着脱側コネクタ７１ａの背面８３に略当接している。また、離脱規制リブ８１の先端側縁部は、側壁７５ｂ側の半分以上の範囲にわたって切欠部８１ａが形成され、この切欠部８１ａの下端側が凹入開口部７９の縁部に接続されており、着脱側コネクタ７１ａ側のケーブルをケーブル引出部としての凹入開口部７９側に案内するようになっている。
【００３２】
解除規制リブ８２は、着脱側コネクタ７１ａ側に設けられたロック手段８４の解除方向への移動を規制するためのものである。ロック手段８４は、着脱側コネクタ７１ａの固定側コネクタ６８ａへの接続状態を解除可能にロックするためのもので、例えば着脱側コネクタ７１ａの左右両端に設けられている。各ロック手段８４は、図９に示すように、ロック爪８５と操作部８６とを両端側に一体に備え且つその中間部において揺動軸８７により着脱側コネクタ７１ａ側に揺動自在に支持されており、ロック爪８５が固定側コネクタ６８ａ側の被係合部８８に係合するロック状態からロック解除状態に移行する際、揺動軸８７廻りに揺動して操作部８６が着脱側コネクタ７１ａの離脱方向に移動するようになっている。
【００３３】
解除規制リブ８２は、左右のロック手段８４に対応して例えば離脱規制リブ８１の左右両側に平行に配置されており、その先端側縁部８２ａが、ロック状態にあるロック手段８４の操作部８６にその解除方向から略当接している。なお、ロック手段８４はその他の種々の構成を採用できるが、解除規制リブ８２は、ロック手段８４の動作に応じて、その解除方向に略当接して解除方向への移動を規制するように構成すればよい。従って、例えばロック状態からロック解除状態に移行する際に操作部８６が左右方向外側に移動するロック手段８４を採用する場合には、操作部８６の左右方向外側に略当接するように解除規制リブ８２を設ければよい。
【００３４】
また、コネクタカバー７３には、例えば天板７４から膨出部６４の背面６４ａに沿って締結支持板９１が突設されており、この締結支持板９１に、その背面側に向けて突出する第１締結部９２と、この第１締結部９２に隣接して設けられ且つ主制御基板ケース１３側の第２締結部９３が挿通可能な挿通孔９４とが設けられている。第１締結部９２は、例えば中央に開口部９２ａが形成された門型状で、締結支持板９１に一体に設けられている。
【００３５】
また、主制御基板ケース１３側には、コネクタカバー７３を着脱自在に装着可能なコネクタカバー装着部９５が設けられている。即ち、第２ケース体５５には、固定側コネクタ６８ａの左側方に、横凹部６５ｂと縦凹部６５ａとを仕切るように案内リブ９６が設けられており、図６に示すように、コネクタカバー７３の側壁７５ａ〜７５ｃの外周面を取り囲むように配置された横凹部６５ｂの三方の側壁９７ａ，９７ｂ，９７ｃと案内リブ９６とでコネクタカバー装着部９５が構成されている。
【００３６】
なお、案内リブ９６は、固定側コネクタ６８ａの凹部６５内の位置等に応じて適宜配置すればよい。例えば固定側コネクタ６８ａが凹部６５の端部から離れた位置に配置されている場合には、その両側に案内リブ９６を配置すればよい。また、例えば固定側コネクタ６８ａが凹部６５の各側壁から離れている場合には、固定側コネクタ６８ａの四方を取り囲むように案内リブ９６を設けてもよい。
【００３７】
また、固定側コネクタ６８ａの左右両側に対応する案内リブ９６及び側壁９７ｂには、コネクタカバー７３側の係合爪７７ａが係合可能な切欠部、段差部等よりなる被係合部９８ａ，９８ｂが形成されている。本実施形態では、案内リブ９６側の被係合部９８ａは段差部、側壁９６ｂ側の被係合部９８ｂは切欠部により構成されている。なお、被係合部９８ａ，９８ｂに係合した各係合爪７７ａの周辺部は、案内リブ９６及び側壁９６ｂがコネクタカバー７３の左右の側壁７５ｃ，７５ｄに略密着した状態となるため、係合爪７７ａを解除方向に操作することは困難で、コネクタカバー装着部９５に装着したコネクタカバー７３はいわゆる嵌め殺しの状態となる。
【００３８】
また、第２ケース体５５には、コネクタカバー７３側の第１締結部９２に対応するように、例えば膨出部６４の背面６４ａ上に第２締結部９３が一体形成されている。第２締結部９３は、例えば第１締結部９２と同様、中央に開口部９３ａが形成された門型状で、コネクタカバー７３を第２ケース体５５のコネクタカバー装着部９５に装着したとき、締結支持板９１の挿通孔９４に嵌合して、第１締結部９２と略重なる位置及び大きさに形成されている。
【００３９】
また、コネクタカバー装着部９５に装着されたコネクタカバー７３は、第１締結部９２と第２締結部９３とを結束バンド（締結手段）９９により抜脱不能に結束される。この結束バンド９９は、図１０に示すように、例えば凹凸が形成されたバンド部９９ａと、このバンド部９９ａを挿通可能に構成され且つバンド部９９ａの凹凸に噛合するラチェット爪を備えたヘッド部９９ｂとを備え、このヘッド部９９ｂに、特有の識別標識、例えば「ＦＵＪＩ」の文字が刻印等により付されたタグ９９ｃが一体形成され、一般に流通している結束バンドと差別化されている。
【００４０】
このような結束バンド９９で主制御基板ケース１３とコネクタカバー７３とを結束すれば、この結束バンド９９を切断して主制御基板ケース１３からコネクタカバー７３を取り外したとしても、全く同じ結束バンド９９が手に入らないために元通りに戻すことは不可能であり、「打ち込み機」等の不正部品の接続による不正行為を効果的に防止でき、また万一そのような不正行為が行われた場合でも確実に発見することができる。
【００４１】
中継基板ケース（ケース体）４９は、図１１に示すように、例えば前面パネル３の裏側に一体形成された取り付け部１０１の後側に、ビス（固定部材）１０２により着脱自在に固定されている。取り付け部１０１は、中継基板４８の裏面側に対向する平板部１０３と、中継基板４８の外縁部に対応して平板部１０３に立設された起立壁１０４と、平板部１０３内に設けられた複数、例えば２つの固定基部１０５とを備えている。
【００４２】
中継基板ケース４９は、図１１〜図１５に示すように、取り付け部１０１側が開放する矩形蓋状であって、中継基板４８の外周に嵌合する周壁１０６と中継基板４８の表面側に対向する背壁１０７とを一体に備え、周壁１０６が取り付け部１０１の起立壁１０４の外側に嵌合して、その起立壁１０４の端縁が中継基板４８の裏側に当接するようになっている。
【００４３】
例えば背壁１０７には取り付け部１０１側の固定基部１０５に対応する複数、例えば２つの固定用凹部１１１が形成され、各固定用凹部１１１の底部にはビス止め用の挿通孔１１２が設けられており、ビス１０２を、固定用凹部１１１の挿通孔１１２から中継基板４８に形成された挿通孔（図示省略）を介して固定基部１０５にねじ込むことにより中継基板ケース４９を中継基板４８と共に取り付け部１０１側に固定可能となっている。
【００４４】
また、背壁１０７には、その外縁に沿って複数の露出用凹部１１３が形成されている。各露出用凹部１１３は、背壁１０７側だけでなく周壁１０６側にも開放されており、その底部には中継基板４８側の固定側コネクタ１１４を露出させるためのコネクタ孔１１５が設けられている。本実施形態では、背壁１０７の対向する上下２つの縁部に沿って、例えば上縁側に５つ、下縁側に１つの露出用凹部１１３が設けられており、夫々１個又は複数個の固定側コネクタ１１４が配置されている。なお、２つの固定用凹部１１１は、これら上縁側と下縁側の各露出用凹部１１３の間に配置されている。
【００４５】
また、中継基板４８の上縁側に設けられた５つの固定側コネクタ１１４は中継基板４８の板面に平行且つ外向き（上向き）に配置され、下縁側の１つの固定側コネクタ１１４は中継基板４８の板面に垂直に配置されており、各固定側コネクタ１１４には、ハーネスに設けられた着脱側コネクタ１１７が着脱可能に接続されるようになっている。
【００４６】
中継基板ケース４９には、中継基板４８に設けられた複数の固定側コネクタ１１４のうち、例えば上縁側中央の固定側コネクタ１１４ａと、下縁側の固定側コネクタ１１４ｂとに対応してコネクタカバー１１８が着脱自在に装着されている。
【００４７】
コネクタカバー１１８は、図１１〜図１５に示すように、中継基板ケース４９側の背壁１０７に沿う略平板状の本体部１２１と、この本体部１２１の縁部から中継基板ケース４９側の周壁１０６に沿って延設された第１離脱阻止部１２２と、中継基板ケース４９側に着脱自在に装着するためのヒンジ爪（係合部）１２３及び係合爪（係合部）１２４とを例えば一体に備えている。
【００４８】
本体部１２１は、少なくとも１つ、例えば全ての固定用凹部１１１を外側から略閉鎖するようにその内側のビス１０２を覆う固定部材カバー部１２１ａと、固定側コネクタ１１４ｂに接続された着脱側コネクタ１１７ｂの離脱方向を覆うことにより着脱側コネクタ１１７ｂの離脱を阻止する第２離脱阻止部１２１ｂとを一体に備えている。なお、第２離脱阻止部１２１ｂは、固定側コネクタ１１４ｂに接続された着脱側コネクタ１１７ｂの背面１２５との間に、その背面１２５から引き出されているケーブルを無理なく逃がせる程度の隙間ができるように、例えば着脱側コネクタ１１７ｂの離脱方向に向けて浅い膨出状に形成されている。
【００４９】
また、第２離脱阻止部１２１ｂは、着脱側コネクタ１１７ｂが設けられた露出用凹部１１３ｂに対して、背壁１０７側のみを覆い、周壁１０６側は開放されたままとなっており、その周壁１０６側の開口部が、着脱側コネクタ１１７ｂのケーブルを引き出すためのケーブル引出部１２６（図１５）となっている。
【００５０】
第１離脱阻止部１２２は、固定側コネクタ１１４ａに接続された着脱側コネクタ１１７ａの離脱方向を覆うことにより着脱側コネクタ１１７ａの離脱を阻止するためのもので、着脱側コネクタ１１７ａが設けられた露出用凹部１１３ａに対応して、本体部１２１の上縁側から周壁１０６に平行に延設されている。なお、第１離脱阻止部１２２は、周壁１０６との間に若干の隙間ができるように配置されており、その隙間が、着脱側コネクタ１１７ａのケーブルを引き出すためのケーブル引出部１２７（図１５）となっている。また、第１離脱阻止部１２２の左右両縁部には、周壁１０６との隙間を塞ぐ側板１２８が一体に形成されている。
【００５１】
なお、第１離脱阻止部１２２は、固定側コネクタ１１４ａに接続された着脱側コネクタ１１７ａの背面１２９との間に、その背面１２９から引き出されているケーブルを無理なく逃がすことができる程度の隙間が形成されるように配置されている。
【００５２】
ヒンジ爪１２３は、中継基板ケース４９側のヒンジピン１３１を両側から抱き込むように複数設けられており、またそれら各ヒンジ爪１２３の先端側は、その先端側をヒンジピン１３１に対して所定角度で相対的に嵌脱できるようになっている。なお、ヒンジピン１３１は例えば中継基板ケース４９の背壁１０７上の例えば左右方向一端側に背壁１０７に沿って上下方向に配置されており、ヒンジ爪１２３はこれに対応して例えばコネクタカバー１１８の本体部１２１の左右方向一端側に配置されている。
【００５３】
係合爪１２４は、コネクタカバー１１８上のヒンジ爪１２３とは反対側の端部に、中継基板ケース４９の背壁１０７に形成されたスリット状その他の被係合部１３２に対応して配置され、例えばコネクタカバー１１８の本体部１２１から面外方向に略くの字状に延設された操作片１３３の先端側に設けられている。
【００５４】
コネクタカバー１１８は、まずヒンジ爪１２３をヒンジピン１３１に揺動自在に係合させ、更に係合爪１２４を被係合部１３２に係合させることにより、中継基板ケース４９側に装着される。
【００５５】
また、コネクタカバー１１８には、例えば本体部１２１からその背面側に向けて突出する第１締結部１４１と、この第１締結部１４１に隣接して設けられ且つ中継基板ケース４９側の第２締結部１４２が挿通可能な挿通孔１４３とが設けられている。第１締結部１４１は、主制御基板ケース１３側のコネクタカバー７３と同様、例えば中央に開口部１４１ａが形成された門型状で、本体部１２１に一体に設けられている。
【００５６】
中継基板ケース４９側の第２締結部１４２も、中央に開口部１４２ａが形成された門型状で、背壁１０７に一体に設けられており、コネクタカバー１１８を中継基板ケース４９に装着したとき、コネクタカバー１１８側の挿通孔１４３に嵌合して、第１締結部１４１と略重なる位置、大きさに形成されている。
【００５７】
中継基板ケース４９に装着されたコネクタカバー１１８は、主制御基板ケース１３側と同様、第１締結部１４１と第２締結部１４２とが結束バンド９９により抜脱不能に結束される。
【００５８】
なお、本実施形態では、図１５（ａ）に示すように、第１締結部１４１の結束バンド９９による結束部が、第２締結部１４２側の対応する結束部に対してコネクタカバー１１８の離脱方向に若干ずれた位置に設けられており、それら結束部同士を結束バンド９９により結束したとき、図１５（ｂ）に示すように、第１締結部１４１を第２締結部１４２側にずらす方向、即ちコネクタカバー１１８を装着方向に押し付ける方向の力が作用するように構成されている。
【００５９】
スタートレバーユニット３９は、図１６に示すように、例えば前操作パネル部２７に設けられた取り付け部１５１に対して前面パネル３の後側から装着され、ビス（固定部材）１５２により着脱自在に固定されている。取り付け部１５１は、前操作パネル部２７に形成された開口部１５３と、この開口部１５３を取り囲むように前操作パネル部２７から後方に突設される例えば筒状の突設部１５４と、この突設部１５４の後端側に設けられる複数、例えば４つの固定基部１５５とを備えている。
【００６０】
スタートレバーユニット３９は、図１６，図１８〜図２０に示すように、本体ケース  （ケース体）１６１と、この本体ケース１６１の前端側に上下方向揺動自在に装着されたスタートレバー３８と、本体ケース１６１に例えば鍔状に一体形成され且つ取り付け部１５１側の固定基部１５５に対応する複数の挿通孔１６２を備えたフランジ部１６３と、本体ケース１６１内に配置された基板１６４等を備え、スタートレバー３８を開口部１５３から前操作パネル部２７の前側に突出させた状態で、ビス１５２を挿通孔１６２を介して固定基部１５５にねじ込むことにより、取り付け部１５１に着脱自在に固定されている。
【００６１】
本体ケース１６１は、略円筒状、その他の筒状に形成された前後方向の筒状部１６５と、スタートレバー３８の軸部が揺動可能に嵌合する縦長状の案内孔（図示省略）が形成され且つ筒状部１６５の前端側を略閉鎖する前壁部１６６と、筒状部１６５の後端側を略閉鎖する後壁部１６７とを備え、筒状部１６５上の前後方向所定位置、例えば中間部よりも後端側の位置にフランジ部１６３が一体に形成されている。
【００６２】
筒状部１６５には、例えばフランジ部１６３と後端部との間の周方向所定位置、例えば左右方向一方側に、基板１６４に設けられた固定側コネクタ１６８を露出させるためのコネクタ孔１６９が形成されている。基板１６４は、筒状部１６５の後端側近傍に例えば後壁部１６７と平行に配置されており、固定側コネクタ１６８はその基板１６４の前面に、基板１６４の板面に平行且つ外向きに配置され、その先端側がコネクタ孔１６９から露出している。固定側コネクタ１６８には、ハーネスに設けられた着脱側コネクタ１７１がコネクタ孔１６９を介して着脱可能に接続されるようになっている。
【００６３】
また、コネクタ孔１６９の近傍には、コネクタカバー１７２を着脱方向に案内するためのガイドレール１７３が設けられている。ガイドレール１７３は、コネクタカバー１７２を、例えば着脱側コネクタ１７１の着脱方向に直交する方向（ここでは前後方向）に案内すべく、コネクタ孔１６９に対して着脱方向の両側（ここでは上下両側）に張り出す鍔状に形成されており、その前端側はフランジ部１６３まで延設されている。
【００６４】
スタートレバーユニット３９に装着されるコネクタカバー１７２は、図１６〜図２０に示すように、着脱側コネクタ１７１の着脱方向に直交する板状に形成され且つ固定側コネクタ１６８に装着された着脱側コネクタ１７１の背面１７４側を覆う離脱阻止部１８１と、この離脱阻止部１８１の装着方向後縁部から本体ケース１６１側に延設された後壁部１８２と、離脱阻止部１８１の着脱方向側縁部から本体ケース１６１側に延設された一対の側壁部１８３とを一体に備えている。
【００６５】
側壁部１８３の内面側には、本体ケース１６１側のガイドレール１７３に対応する被ガイド部１８４が一体に設けられている。この被ガイド部１８４は、例えばガイドレール１７３の両側に対応して立設された一対の突条部１８４ａにより構成されており、コネクタカバー１７２は、例えば側壁部１８３の前端側がフランジ部１６３に当接するまでこの被ガイド部１８４をガイドレール１７３に沿って前向きに摺動させることによりスタートレバーユニット３９に装着される。
【００６６】
離脱阻止部１８１は、固定側コネクタ１６８に接続された着脱側コネクタ１７１の離脱方向を覆うことにより着脱側コネクタ１７１の離脱を阻止するためのもので、コネクタカバー１７２をスタートレバーユニット３９に装着したとき、固定側コネクタ１６８に接続された着脱側コネクタ１７１の背面１７４との間に、その背面１７４から引き出されているケーブルを無理なく逃がすことができる程度の隙間が形成されるように配置されている。
【００６７】
更に、コネクタカバー１７２をスタートレバーユニット３９に装着したとき、離脱阻止部１８１の装着方向前端側とフランジ部１６３との間には若干の隙間ができるようになっており、その隙間が、着脱側コネクタ１７１のケーブルを引き出すためのケーブル引出部１８５（図２０（ｂ））となっている。
【００６８】
また、コネクタカバー１７２には、第１締結部１８６が、例えば後壁部１８２の端縁から装着方向後側に向けて突設されている。第１締結部１８６は、例えば中央に開口部１８６ａが形成された門型状で、コネクタカバー１７２に一体に形成されている。
【００６９】
スタートレバーユニット３９側には、この第１締結部１８６に対応する第２締結部１８７が、例えば後壁部１８２の背面側に一体に形成されている。この第２締結部１８７も、中央に開口部１８７ａが形成された門型状で、コネクタカバー１７２をスタートレバーユニット３９に装着したとき、コネクタカバー１７２側の第１締結部１８６と略重なる位置、大きさに形成されている。
【００７０】
スタートレバーユニット３９に装着されたコネクタカバー１７２は、主制御基板ケース１３側、中継基板ケース４９側と同様、第１締結部１８６と第２締結部１８７とが結束バンド９９により抜脱不能に結束される。
【００７１】
ストップボタンユニット４１は、図２１に示すように、例えば前操作パネル部２７に設けられた取り付け部１９１に前面パネル３の前側から装着され、前操作パネル部２７の裏側からビス１９２により着脱自在に固定されている。取り付け部１９１は、前操作パネル部２７の前面側に形成された装着凹部１９３と、この装着凹部１９３に形成された開口部１９４及び挿通孔１９５とを備えている。
【００７２】
ストップボタンユニット４１は、図２１〜図２５に示すように、３つのストップボタン４０と、これらストップボタン４０をその軸方向（本実施形態では前後方向）に移動可能に収容する本体ケース２０１と、この本体ケース２０１内に配置された基板２０２と、本体ケース２０１の前側に装着され且つ裏側に固定基部２０３が突設された前カバー２０４等を備え、本体ケース２０１を開口部１９４に前側から挿入しつつ前カバー２０４を装着凹部１９３に嵌合させた状態で、ビス１９２を挿通孔１９５を介して固定基部２０３にねじ込むことにより、取り付け部１９１に着脱自在に固定されている。
【００７３】
本体ケース２０１は、横長扁平状の筒形に形成された前後方向の筒状部２０５と、その筒状部２０５の前端側を略閉鎖するように例えば筒状部２０５に一体に形成された前壁部２０５ａ（図２４，図２５）と、筒状部２０５の後端側を略閉鎖するように筒状部２０５に着脱自在に装着される後壁部２０６とを備え、その内部の例えば後端側に基板２０２が収容されている。後壁部２０６は、ビス止め用の挿通孔２０７を１又は複数、例えば２つ備えており、図２５に示すように、その裏側からビス（結合部材）２０８を挿通孔２０７、基板２０２側の挿通孔を介して例えば前壁部２０５ａ側の固定基部２１０にねじ込むことにより筒状部２０５側に固定されるようになっている。
【００７４】
筒状部２０５には、例えばその後端側の周方向所定位置、例えば下面側に、基板２０２に設けられた固定側コネクタ２１１を露出させるためのコネクタ孔２１２が形成されている。固定側コネクタ２１１は、基板２０２の前面に、基板２０２の板面に平行且つ外向きに配置されており、ハーネス２１３に設けられた着脱側コネクタ２１４がコネクタ孔２１２を介して着脱可能に接続されるようになっている。
【００７５】
また、本体ケース２０１には、例えば後壁部２０６の裏側に、コネクタカバー２１５を着脱方向に案内するための一対のガイドレール２１６が設けられている。このガイドレール２１６は、コネクタカバー２１５を、例えば着脱側コネクタ２１４の着脱方向（ここでは上下方向）に案内すべく、コネクタ孔２１２の左右両側に対応する位置に上下方向に配置されており、夫々後壁部２０６から略垂直に起立する起立部２１６ａと、その起立部２１６ａの端縁から互いに対向する方向に延設された延設部２１６ｂとで断面Ｌ字形に形成されている。
【００７６】
ストップボタンユニット４１に装着されるコネクタカバー２１５は、例えば後壁部２０６に沿う略平板状の本体部２２１と、この本体部２２１の縁部から筒状部２０５の外周面に沿って延設された離脱阻止部２２２とを例えば一体に備えている。
【００７７】
本体部２２１は、後壁部２０６側の複数の挿通孔２０７のうちの少なくとも１つを外側から閉鎖することによりビス２０８を覆う結合部材カバー部２２３を一体に備えると共に、その両側縁部には、本体ケース２０１側のガイドレール２１６により上下方向摺動自在に保持される被ガイド部２２４が一体形成されている。この被ガイド部２２４は、例えば本体部２２１から左右方向に張り出すように一体に形成され且つ断面Ｌ字形のガイドレール２１６により上下方向摺動自在に保持される鍔状部２２４ａと、一対のガイドレール２１６の互いに対向する内縁部に沿って本体部２２１に立設される突条部２２４ｂとを備えている。
【００７８】
離脱阻止部２２２は、固定側コネクタ２１１に接続された着脱側コネクタ２１４の離脱方向を覆うことにより着脱側コネクタ２１４の離脱を阻止するためのもので、コネクタ孔２１２に対応して本体部２２１の下縁側から筒状部２０５の外周面に沿って着脱側コネクタ２１４の着脱方向に略直交するように前向きに延設されている。なお、離脱阻止部２２２は、筒状部２０５との間に若干の隙間ができるように配置されており、その隙間が、着脱側コネクタ２１４のケーブルを引き出すためのケーブル引出部２２５となっている。また、離脱阻止部２２２の左右両縁部には、筒状部２０５との隙間を塞ぐ側板２２６が一体に形成されている。
【００７９】
なお、離脱阻止部２２２は、固定側コネクタ２１１に接続された着脱側コネクタ２１４の背面２２７との間に、その背面２２７から引き出されているケーブルを無理なく逃がすことができる程度の隙間が形成されるように配置されている。
【００８０】
また、コネクタカバー２１５には、第１締結部２２８が、例えば本体部２２１の装着方向の端縁から面外方向に突設されている。第１締結部２２８は、例えば中央に開口部２２８ａが形成された門型状で、コネクタカバー２１５に一体に形成されている。
【００８１】
ストップボタンユニット４１側には、この第１締結部２２８に対応する第２締結部２２９が、例えば後壁部２０６の背面側に一体に形成されている。この第２締結部２２９も、中央に開口部２２９ａが形成された門型状で、コネクタカバー２１５をストップボタンユニット４１に装着したとき、コネクタカバー２１５側の第１締結部２２８と略重なる位置、大きさに形成されている。
【００８２】
ストップボタンユニット４１に装着されたコネクタカバー２１５は、主制御基板ケース１３側、中継基板ケース４９側、スタートレバーユニット３９側と同様、第１締結部２２８と第２締結部２２９とが結束バンド９９により抜脱不能に結束される。
【００８３】
以上説明したように、本実施形態の主制御基板ケース１３、中継基板ケース４９、スタートレバーユニット３９及びストップボタンユニット４１には、夫々コネクタカバー７３，１１８，１７２，２１５が着脱自在に装着され、それらコネクタカバー７３，１１８，１７２，２１５は、各ケース体１３，４９，１６１，２０１に装着したときにケース体１３，４９，１６１，２０１側の第１締結部９２，１４１，１８６，２２８と略一致する第２締結部９３，１４２，１８７，２２９と、着脱側コネクタ７１ａ，１１７ａ，１１７ｂ，１７１，２１４の固定側コネクタ６８ａ，１１４ａ，１１４ｂ，１６８，２１１からの離脱を阻止する離脱阻止部８１，１２２，１２１ｂ、１８１，２２２とを備え、第１締結部９２，１４１，１８６，２２８と第２締結部９３，１４２，１８７，２２９とを抜脱不能な結束バンド９９により結束しているため、結束バンド９９を切断してコネクタカバー７３，１１８，１７２，２１５を取り外したとしても、全く同じ結束バンド９９を用いなければ元通りに戻すことができない。従って、「打ち込み機」等の不正部品の接続による不正行為を効果的に防止でき、また万一そのような不正行為が行われた場合でも確実に発見することができる。
【００８４】
また、結束バンド９９は、凹凸が形成されたバンド部９９ａと、このバンド部９９ａを挿通可能に構成され且つ凹凸に噛合するラチェット爪を備えたヘッド部９９ｂとを備え、ヘッド部９９ｂに、特有の識別標識を付したタグ９９ｃを一体形成しているため、これと全く同じものを第三者が入手することはできず、これを切断して取り外したコネクタカバー７３，１１８，１７２，２１５を元通りに戻すことは不可能である。
【００８５】
また、コネクタカバー７３，１１８，１７２，２１５とケース体１３，４９，１６１，２０１との間にハーネスのケーブル部分を引出可能なケーブル引出部７９，１２６，１２７，１８５，２２５を備えているため、着脱側コネクタ７１ａ，１１７ａ，１１７ｂ，１７１，２１４を固定側コネクタ６８ａ，１１４ａ，１１４ｂ，１６８，２１１に接続した状態でコネクタカバー７３，１１８，１７２，２１５を容易に装着することができる。
【００８６】
コネクタカバー７３には主制御基板ケース１３側に係合する一対の係合爪７７ａが設けられ、またコネクタカバー１１８には中継基板ケース４９側に係合するヒンジ爪１２３及び係合爪１２４が設けられているため、結束バンド９９による結束を行っていない状態でもコネクタカバー７３，１１８を主制御基板ケース１３，中継基板ケース４９に装着した状態で保持できる。
【００８７】
コネクタカバー２１５は、ストップボタンユニット４１の本体ケース２０１に装着したときにその本体ケース２０１を結合する複数のビス２０８のうちの１つを覆う結合部材カバー部２２３を備えているため、このコネクタカバー２１５を装着したままでは本体ケース２０１を分解することができず、不正行為をより効果的に防止できる。
【００８８】
コネクタカバー１１８は、中継基板ケース４９に装着したとき、この中継基板ケース４９を遊技機本体１側に着脱可能に固定しているビス１０２の例えば全てを覆う固定部材カバー部１２１ａを備えているため、このコネクタカバー１１８を装着したままでは中継基板ケース４９を遊技機本体１から取り外すことができず、不正行為をより効果的に防止できる。
【００８９】
コネクタカバー１１８の第１締結部１４１は、結束バンド９９による結束部が、中継基板ケース４９側の第２締結部１４２の対応する結束部に対してコネクタカバー１１８の離脱方向に若干ずれた位置に設けられているため、それら結束部同士を結束バンド９９により結束したとき、第１締結部１４１を第２締結部１４２側にずらす方向、即ちコネクタカバー１１８を装着方向に押し付ける方向の力が作用し、コネクタカバー１１８を中継基板ケース４９側に強固に固定できる。
【００９０】
コネクタカバー７３は、ロック手段８４の解除方向への移動を阻止する解除規制リブ８２を備えているため、このコネクタカバー７３を装着したままではロック手段８４を解除することができず、不正行為をより効果的に防止できる。
【００９１】
以上、本発明の実施形態について詳述したが、本発明はこれらの実施形態に限定されるものではなく、本発明の趣旨を逸脱しない範囲で種々の変更が可能である。例えば、実施形態では、ケース体を遊技機本体１に固定する固定部材１０２を覆う固定部材カバー部１２１ａを備えているのは中継基板ケース４９のコネクタカバー１１８のみであったが、同様の固定部材カバー部を他のコネクタカバーに設けてもよい。
【００９２】
図２６は、スタートレバーユニット３９側のコネクタカバー１７２に、このスタートレバーユニット３９を遊技機本体１に固定する複数のビス１５２のうちの１個を覆う固定部材カバー部２３１を一体に設けた例を示している。同様に、ストップボタンユニット４１側のコネクタカバー２１５に、ストップボタンユニット４１を遊技機本体１に固定する複数のビス１９２のうちの少なくとも１個を覆う固定部材カバーを一体に設けてもよい。
【００９３】
また、ケース体を結合する結合部材を覆う結合部材カバー部についても、ストップボタンユニット４１側のコネクタカバー２１５だけでなく、主制御基板ケース１３側のコネクタカバー７３、中継基板ケース４９側のコネクタカバー１１８、スタートレバーユニット３９側の１７２等に設けてもよい。
【００９４】
これら固定部材カバー、結合部材カバーは、複数の固定部材、複数の結合部材の少なくとも１つを覆うように設ければよいが、複数の固定部材、複数の結合部材を同時に覆うようにすることがより望ましい。
【００９５】
第１締結部と第２締結部とは結束バンド９９を切断しなければ抜き取ることができない形状であれば、Ｔ字状等の他の形状を採用してもよい。
【００９６】
実施形態で例示したようなコネクタカバーを、固定側コネクタを備えた基板を収容する他の部品、例えば表示リールユニット６、ドライバ基板ケース４６、制御基板ケース４７、メダル払い出し手段８、ベットボタン３４，３５、精算ボタン、設定変更スイッチ基板等に設けてもよい。
【００９７】
結束バンド９９のタグ９９ｃに付する識別標識は、遊技機固有の番号等、どのようなものでもよい。ここで、遊技機固有の番号は、パチンコ機の遊技盤に貼付される証紙番号、主制御基板に貼付される基板管理番号と同じ番号としてもよい。
【００９８】
結束バンド９９による結束と同時に、又は結束バンド９９による結束に代えて、基板を収容するケース体とコネクタカバーとを封印シールにより封印してもよい。その場合は、ケース体及び／又はコネクタカバーに封印シール貼付位置の目印を形成することが望ましい。封印シールは、中継基板ケース４９とコネクタカバー１１８とを例にとれば、例えば操作片１３３と背壁１０７とに跨るように貼付すればよい。
【００９９】
結束バンド９９は、市販の一般的な結束バンドとは明らかに異なる固有のものであればよく、タグ９９ｃを設ける他、例えば特殊な色や形状に構成してもよい。また、一般的な結束バンドとの相違部分は一目でわかるものでなくてもよく、例えば外観からは分かりにくい細かい印を付したり、特殊な塗料で識別標識を付してもよい。また、締結手段は、現状復帰可能な状態で締結を解除することができないものであればよく、結束バンドや封印シールの他、一方向ネジ等、どのようなものでもよい。
【０１００】
また、実施形態では本発明をスロットマシンに適用した例を示したが、パチンコ機、アレンジボール機等の各種遊技機において同様に実施可能であることは言うまでもない。
【符号の説明】
【０１０１】
１２    主制御基板（基板）
１３    主制御基板ケース（ケース体）
４８    中継基板（基板）
４９    中継基板ケース（ケース体）
６８ａ  固定側コネクタ
７１ａ  着脱側コネクタ
７３    コネクタカバー
７７ａ  係合爪（係合部）
７９    凹入開口部（ケーブル引出部）
８１    離脱規制リブ（離脱阻止部）
８２    解除規制リブ（ロック解除阻止部）
８４    ロック手段
９２    第１締結部
９３    第２締結部
９９    結束バンド（締結手段）
９９ａ  バンド部
９９ｂ  ヘッド部
９９ｃ  タグ
１０２    ビス（固定手段）
１１４ａ  固定側コネクタ
１１４ｂ  固定側コネクタ
１１７ａ  着脱側コネクタ
１１７ｂ  着脱側コネクタ
１１８    コネクタカバー
１２１ａ  固定部材カバー部
１２１ｂ  第２離脱阻止部（離脱阻止部）
１２２    第１離脱阻止部（離脱阻止部）
１２３    ヒンジ爪（係合部）
１２４    係合爪（係合部）
１２６    ケーブル引出部
１２７    ケーブル引出部
１４１    第１締結部
１４２    第２締結部
１５２    ビス（固定部材）
１６１    本体ケース（ケース体）
１６４    基板
１６８    固定側コネクタ
１７１    着脱側コネクタ
１７２    コネクタカバー
１８１    離脱阻止部
１８５    ケーブル引出部
１８６    第１締結部
１８７    第２締結部
２０１    本体ケース（ケース体）
２０２    基板
２０８    ビス（結合部材）
２１１    固定側コネクタ
２１４    着脱側コネクタ
２１５    コネクタカバー
２２２    離脱阻止部
２２３    結合部材カバー部
２２５    ケーブル引出部
２２８    第１締結部
２２９    第２締結部
２３１    固定部材カバー部
【図１】
2010148926.tif 000003
【図２】
2010148926.tif 000004
【図３】
2010148926.tif 000005
【図４】
2010148926.tif 000006
【図５】
2010148926.tif 000007
【図６】
2010148926.tif 000008
【図７】
2010148926.tif 000009
【図８】
2010148926.tif 000010
【図９】
2010148926.tif 000011
【図１０】
2010148926.tif 000012
【図１１】
2010148926.tif 000013
【図１２】
2010148926.tif 000014
【図１３】
2010148926.tif 000015
【図１４】
2010148926.tif 000016
【図１５】
2010148926.tif 000017
【図１６】
2010148926.tif 000018
【図１７】
2010148926.tif 000019
【図１８】
2010148926.tif 000020
【図１９】
2010148926.tif 000021
【図２０】
2010148926.tif 000022
【図２１】
2010148926.tif 000023
【図２２】
2010148926.tif 000024
【図２３】
2010148926.tif 000025
【図２４】
2010148926.tif 000026
【図２５】
2010148926.tif 000027
【図２６】
2010148926.tif 000028
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
制御基板（１２）を収容するケース体（１３）と、ハーネスを介して前記制御基板（１２）に接続される基板（１６４）を収容するケース体（１６１）を有するスタートレバーユニット（３９）と、ハーネスを介して前記制御基板（１２）に接続される基板（２０２）を収容するケース体（２０１）を有するストップボタンユニット（４１）と、前記制御基板（１２）と前記スタートレバーユニット（３９）の基板（１６４）又は前記ストップボタンユニット（４１）の基板（２０２）との間に介挿される中継基板（４８）を収容するケース体（４９）とを備え、前記各基板（１２）（４８）（１６４）（２０２）には前記ハーネス側の着脱側コネクタ（７１ａ）（１１７ａ）（１１７ｂ）（１７１）（２１４）を着脱可能な固定側コネクタ（６８ａ）（１１４ａ）（１１４ｂ）（１６８）（２１１）が設けられ、前記各ケース体（１３）（４９）（１６１）（２０１）は前記固定側コネクタ（６８ａ）（１１４ａ）（１１４ｂ）（１６８）（２１１）を外部に露出させた状態で前記基板（１２）（４８）（１６４）（２０２）を収容するように構成された遊技機において、前記各ケース体（１３）（４９）（１６１）（２０１）に夫々着脱自在に装着されるコネクタカバー（７３）（１１８）（１７２）（２１５）を備え、該コネクタカバー（７３）（１１８）（１７２）（２１５）は、前記ケース体（１３）（４９）（１６１）（２０１）に装着したときに前記ケース体（１３）（４９）（１６１）（２０１）側の第２締結部（９３）（１４２）（１８７）（２２９）と隣接する第１締結部（９２）（１４１）（１８６）（２２８）と、前記着脱側コネクタ（７１ａ）（１１７ａ）（１１７ｂ）（１７１）（２１４）の前記固定側コネクタ（６８ａ）（１１４ａ）（１１４ｂ）（１６８）（２１１）からの離脱を阻止する離脱阻止部（８１）（１２１ｂ）（１２２）（１８１）（２２２）とを備え、前記第１締結部（９２）（１４１）（１８６）（２２８）と前記第２締結部（９３）（１４２）（１８７）（２２９）とを抜脱不能な締結手段（９９）により締結したことを特徴とする遊技機。
【手続補正２】
【補正対象書類名】明細書
【補正対象項目名】０００９
【補正方法】変更
【補正の内容】
【０００９】
本発明は、制御基板１２を収容するケース体１３と、ハーネスを介して前記制御基板１２に接続される基板１６４を収容するケース体１６１を有するスタートレバーユニット３９と、ハーネスを介して前記制御基板１２に接続される基板２０２を収容するケース体２０１を有するストップボタンユニット４１と、前記制御基板１２と前記スタートレバーユニット３９の基板１６４又は前記ストップボタンユニット４１の基板２０２との間に介挿される中継基板４８を収容するケース体４９とを備え、前記各基板１２，４８，１６４，２０２には前記ハーネス側の着脱側コネクタ７１ａ，１１７ａ，１１７ｂ，１７１，２１４を着脱可能な固定側コネクタ６８ａ，１１４ａ，１１４ｂ，１６８，２１１が設けられ、前記各ケース体１３，４９，１６１，２０１は前記固定側コネクタ６８ａ，１１４ａ，１１４ｂ，１６８，２１１を外部に露出させた状態で前記基板１２，４８，１６４，２０２を収容するように構成された遊技機において、前記各ケース体１３，４９，１６１，２０１に夫々着脱自在に装着されるコネクタカバー７３，１１８，１７２，２１５を備え、該コネクタカバー７３，１１８，１７２，２１５は、前記ケース体１３，４９，１６１，２０１に装着したときに前記ケース体１３，４９，１６１，２０１側の第２締結部９３，１４２，１８７，２２９と隣接する第１締結部９２，１４１，１８６，２２８と、前記着脱側コネクタ７１ａ，１１７ａ，１１７ｂ，１７１，２１４の前記固定側コネクタ６８ａ，１１４ａ，１１４ｂ，１６８，２１１からの離脱を阻止する離脱阻止部８１，１２１ｂ，１２２，１８１，２２２とを備え、前記第１締結部９２，１４１，１８６，２２８と前記第２締結部９３，１４２，１８７，２２９とを抜脱不能な締結手段９９により締結したものである。